(57)【特許請求の範囲】
【請求項１】
グリッドと、前記グリッドのＸ線入射面の背後に配設されたフィルムを保持するフィルム圧着機構と、前記フィルム圧着機構の背後に間隔をあけて配設された採光野を有する自動露出制御装置用Ｘ線検出器を有するＸ線撮影装置であって、前記自動露出制御装置用Ｘ線検出器は、前記採光野に散乱線除去手段を有することを特徴とするＸ線撮影装置。
【請求項２】
前記自動露出制御装置用Ｘ線検出器の散乱線除去手段は、採光野の周囲を包囲するＸ線不透過性物質で形成された筒体であることを特徴とする請求項１記載のＸ線撮影装置。
【発明の詳細な説明】
【０００１】
【発明の属する技術分野】
本発明は、被検体透過Ｘ線強度を検出し、透過Ｘ線量が所定値に達した時点で自動的にＸ線曝射時間を制御し、所定黒化度（濃度）のＸ線写真が得られるようにする自動露出制御（ホトタイマ）装置に用いるＸ線検出器に関する。
【０００２】
【従来の技術】
ホトタイマ装置を備えたＸ線撮影装置の構成を図５に示す。
図において、１はＸ線管、２は被検体、３はフロント増感紙４1 、バック増感紙４2 と両増感紙４1 、４2 間に装填されたフィルムＦを相互に圧着させる圧着手段５とを備えたフィルム圧着機構、６はＸ線検出器、７は積分器８と比較器９を有する自動露出装置（ホトタイマ）、10はＸ線制御器、11は高電圧装置、12は透視／撮影条件等を設定する制御卓である。
Ｘ線検出器は、図６に示すようにＸ線フィルムのサイズと同等若しくはそれより大きいサイズを有する蛍光層13、遮光層または遮光シート14、光伝導体としてのアクリル板15の３者が遮光層14を中央に積層され、これら積層構成体が、少なくとも蛍光層13側がＸ線に対して透明なケース16内に収容されており、ケース16の端部にはアクリル板15に接してそれでもって伝導された光を受光し、電気信号に変換する光電変換手段としてのホトマル17ガ取り付けられている。
【０００３】
遮光層14には検出範囲（採光野）を規定する窓Ｗが形成されており、窓すなわち採光野は、診断部位に応じて、胸部撮影用の検出器では、図７(a) に示すように胸部正面撮影のための左右２つの矩形採光野Ｗ1 とＷ2 、ならびに、胸部側面撮影のための中央上部に１つの矩形採光野Ｗ3 とが形成されており、また、腹部撮影用の検出器では同図(b) に示すように中央に円形の採光野Ｗ0 が形成されている。
なお、フィルムＦを保持するフィルム圧着機構３の背面に配置されるＸ線検出器６は、フィルムをフロント増感紙４1 とバック増感紙４2 間に装填するための圧着手段５の作動空間の確保、ならびに、Ｘ線検出器６からの後方散乱Ｘ線でバック増感紙４2 が発光してフィルムＦが露光されるのを防止するために、フィルム圧着機構３より一定の間隔（数cm）を設けて配置されている。
【０００４】
上記構成において、Ｘ線管１より放射され被検体２を透過したＸ線は、増感紙４1 、４2 を発光させフィルムＦを露光させると共にフィルム圧着機構３を透過しＸ線検出器６に入射する。Ｘ線の入射で蛍光層13が発光し、遮光層14に形成された採光野Ｗのみの光がアクリル板15に伝達しホトマル17で被検体透過Ｘ線強度に応じた電気信号に変換される。
Ｘ線検出器６の出力は、ホトタイマ７の積分器８で積分され、積分値信号Ｖｓと濃度の基準値信号Ｖｒとが比較器９で比較される。比較器９は、積分値信号Ｖｓが基準値信号Ｖｒに達した際にＸ線遮断信号Ｓを出力し、この遮断信号ＳがＸ線制御器10を介して高電圧装置11に送られＸ線曝射時間が制御され、フィルムの黒化が設定された基準値になるように自動露出制御がなされる。
【０００５】
【発明が解決しようとする課題】
ホトタイマ用のＸ線検出器は、フィルムの背面に一定の間隔をあけて配置されることから次の問題がある。
すなわち、Ｘ線検出器６の採光野Ｗには、図８に示すように図中一点鎖線で示す領域の被検体２の透過直接Ｘ線イのみが入射すればよいが、Ｘ線検出器６は、図で省略されているフィルム圧着機構の背後に間隔をあけて配置されていることから、採光野のＸ線照射領域外の被検体２、ならびに、フィルム圧着機構からの図中ロで示す散乱Ｘ線が採光野Ｗに入射する。
散乱Ｘ線がＸ線検出器６の採光野Ｗに入射するとその分Ｘ線検出器の出力信号が増加し、その結果採光野Ｗに散乱Ｘ線が入射しない場合にくらべて、Ｘ線曝射時間（撮影時間）が短くなり、撮影したフィルムの濃度が設定濃度より薄くなるという傾向があり、所定濃度のＸ線写真が得られないという問題がある。
【０００６】
特に、胸部側面撮影では、被検体厚が厚くなり散乱Ｘ線が増加し、この傾向がより顕著に現れる。
したがって、所定の適正濃度のＸ線写真が得られるように、採光野Ｗに入射する散乱Ｘ線によるＸ線検出器の出力が増加分を考慮して術者が濃度基準信号を高めに設定することで、散乱Ｘ線による誤差を補償していたのが現状である。
【０００７】
散乱Ｘ線量は被検体厚、撮影部位等により異なることから、濃度基準信号の設定に熟練を要するという問題がある。
【０００８】
本発明は、上記の事情に鑑み、採光野に散乱Ｘ線が入射しないようにしたＸ線検出器を提供することを目的とする。
【０００９】
【課題を解決するための手段】
上記の目的を達成するために、本発明のＸ線撮影装置は、グリッドと、前記グリッドのＸ線入射面の背後に配設されたフィルムを保持するフィルム圧着機構と、前記フィルム圧着機構の背後に間隔をあけて配設された採光野を有する自動露出制御装置用Ｘ線検出器を有し、この自動露出制御装置用Ｘ線検出器は、前記採光野に散乱線除去手段を有することを特徴とする。
【００１０】
また、この自動露出制御装置用Ｘ線検出器の散乱線除去手段は、採光野の周囲を包囲するＸ線不透過性物質で形成された筒体であることを特徴とする。
【００１１】
【発明の実施の形態】
以下、図面を参照して本発明の一実施例を説明する。
図１は、本発明に係る一実施例を示す斜視図で、20はＸ線検出器、21は採光野の周囲を包囲する散乱線除去手段としての筒体で、筒体21はＸ線入射方向（フィルム側）に延在し、その長さはＸ線検出器の前段に位置するフィルム圧着機構に接触しない長さに設定されており、また、筒体21の形状は採光野Ｗの形状に形成され、実施例では矩形筒体とされている。
矩形筒体21は図２に示すように薄い鉄板22を板金加工で筒状に成形され、その内側に鉛23が裏打ちされており、図６に示したＸ線検出器のケース16にリブ24を接着する等で固定されている。なお、鉛23は鉄板22を成形した筒体21の外周面に設けてもよく、また、鉛でもって筒体21を作成してもよい。
【００１２】
つぎに、矩形筒体21の作用を図３により説明する。なお、図ではフィルム圧着機構が省略されている。
図に示すように被検体２を透過したＸ線の内透過直接Ｘ線イは採光野Ｗに入射するが、散乱Ｘ線ロは筒体21で遮蔽されて採光野Ｗに入射しない。したがって、被検体透過直接Ｘ線のみのＸ線強度を検出できる。
【００１３】
図４は、他の実施例を示す正面図で、側板25に鉛等のＸ線不透過材の複数板薄板26を等間隔に配設し、側板25をＸ線検出器20の採光野Ｗに配設したものである。なお、実施例では、筒体の壁、ないし薄板を検出器面に垂直に配置したが、Ｘ線管とＸ線検出器間距離が決まれば、採光野に入射する透過直接Ｘ線錐の形状が幾何学的に定まるので、Ｘ線錐形状に沿って傾斜させてもよい。
また、実施例では、光電変換手段としてアクリル板とホトマルからなる検出器を用いたが、半導体検出器を用いてもよい。
さらに、散乱線除去手段を多数の薄板で構成する場合には、薄板を縦横に直交配列するようにしてもよい。
【００１４】
【発明の効果】
本発明によれば、グリッドと、前記グリッドのＸ線入射面の背後に配設されたフィルムを保持するフィルム圧着機構と、前記フィルム圧着機構の背後に間隔をあけて配設された採光野を有する自動露出制御装置用Ｘ線検出器を有するＸ線撮影装置において、採光野に入射する被検体透過直接Ｘ線のみのＸ線強度を自動露光施用装置用Ｘ線検出器で検出することができる。
【００１５】
その結果、本発明の自動露出制御装置用Ｘ線検出器を使用することにより、適正設定濃度のＸ線写真が得られるホトタイマ撮影が行な得る。
【図面の簡単な説明】
【図１】本発明の一実施例を示す斜視図である。
【図２】筒体の構成を示す平面図である。
【図３】筒体の作用説明図である。
【図４】他の実施例を示す平面図である。
【図５】従来のＸ線透視撮影装置のブロック図である。
【図６】従来のＸ線検出器の構成を示す図である。
【図７】採光野の説明用図である。
【図８】散乱Ｘ線の影響の説明用図である。
【符号の説明】
20：Ｘ線検出器                  21：筒体（散乱線除去手段）
22：鉄板                        23：鉛板
24：リブ                        25：側板
26：薄板
【図１】
0003643459.tif 000002
【図２】
0003643459.tif 000003
【図３】
0003643459.tif 000004
【図４】
0003643459.tif 000005
【図５】
0003643459.tif 000006
【図６】
0003643459.tif 000007
【図７】
0003643459.tif 000008
【図８】
0003643459.tif 000009